(57)【要約】【課題】放電灯の寿命を向上できる放電灯駆動装置を提供する。【解決手段】本発明の放電灯駆動装置の一つの態様は、電極を有する放電灯に駆動電流を供給する放電灯駆動部と、放電灯駆動部を制御する制御部と、を備え、放電灯駆動部は、所定の駆動電力が放電灯に供給される第１モードと、駆動電力の値が時間的に変化する第２モードと、を有し、制御部は、第２モードにおいて、駆動電力の変化に応じて放電灯に供給される駆動電流の駆動パターンを変化させ、制御部は、第２モードにおいて、所定期間における駆動電力の値が所定値以下となる期間の割合が所定の割合よりも大きくなる場合、駆動電力が所定値以下となる期間における駆動パターンを、第１駆動パターンから、電極に加えられる熱負荷が第１駆動パターンよりも大きい第２駆動パターンに切り換えることを特徴とする。【選択図】図１０
2018107072.tif 000002
【特許請求の範囲】
【請求項１】
電極を有する放電灯に駆動電流を供給する放電灯駆動部と、
前記放電灯駆動部を制御する制御部と、
を備え、
前記放電灯駆動部は、所定の駆動電力が前記放電灯に供給される第１モードと、前記駆動電力の値が時間的に変化する第２モードと、を有し、
前記制御部は、前記第２モードにおいて、前記駆動電力の変化に応じて前記放電灯に供給される前記駆動電流の駆動パターンを変化させ、
前記制御部は、前記第２モードにおいて、所定期間における前記駆動電力の値が所定値以下となる期間の割合が所定の割合よりも大きくなる場合、前記駆動電力が前記所定値以下となる期間における駆動パターンを、第１駆動パターンから、前記電極に加えられる熱負荷が前記第１駆動パターンよりも大きい第２駆動パターンに切り換えることを特徴とする放電灯駆動装置。
【請求項２】
前記第２駆動パターンは、前記第１モードにおいて前記放電灯に供給される前記駆動電流の駆動パターンと同じである、請求項１に記載の放電灯駆動装置。
【請求項３】
前記制御部は、前記第１駆動パターンから前記第２駆動パターンに切り換えてから所定時間が経過した場合、前記駆動電力が前記所定値以下となる期間における前記駆動パターンを前記第２駆動パターンから前記第１駆動パターンに切り換える、請求項１または２に記載の放電灯駆動装置。
【請求項４】
前記制御部は、前記放電灯の電極間電圧に応じて、前記所定時間を変化させる、請求項３に記載の放電灯駆動装置。
【請求項５】
前記制御部は、前記電極間電圧が第１電圧となるときの前記所定時間を、前記電極間電圧が前記第１電圧よりも小さい第２電圧となるときの前記所定時間よりも長くする、請求項４に記載の放電灯駆動装置。
【請求項６】
前記制御部は、前記第２モードにおいて、前記駆動電力が前記所定値以下となる期間における駆動パターンが前記第２駆動パターンであり、かつ、前記所定期間における前記駆動電力の値が前記所定値以下となる期間の割合が前記所定の割合以下になる場合、前記駆動電力が前記所定値以下となる期間における前記駆動パターンを、前記第２駆動パターンから前記第１駆動パターンに切り換える、請求項１または２に記載の放電灯駆動装置。
【請求項７】
光を射出する放電灯と、
請求項１から６のいずれか一項に記載の放電灯駆動装置と、
を備えることを特徴とする光源装置。
【請求項８】
請求項７に記載の光源装置と、
前記光源装置から射出される光を画像信号に応じて変調する光変調装置と、
前記光変調装置により変調された光を投射する投射光学系と、
を備えることを特徴とするプロジェクター。
【請求項９】
電極を有する放電灯に駆動電流を供給して、前記放電灯を駆動する放電灯駆動方法であって、
所定の駆動電力が前記放電灯に供給される第１モードと、前記駆動電力の値が時間的に変化する第２モードと、を有し、
前記第２モードにおいて、前記駆動電力の変化に応じて前記放電灯に供給される前記駆動電流の駆動パターンを変化させ、
前記第２モードにおいて、所定期間における前記駆動電力の値が所定値以下となる期間の割合が所定の割合よりも大きくなる場合、前記駆動電力が前記所定値以下となる期間における駆動パターンを、第１駆動パターンから、前記電極に加えられる熱負荷が前記第１駆動パターンよりも大きい第２駆動パターンに切り換えることを特徴とする放電灯駆動方法。
【発明の詳細な説明】
【技術分野】
【０００１】
本発明は、放電灯駆動装置、光源装置、プロジェクター、および放電灯駆動方法に関する。
【背景技術】
【０００２】
ランプの点灯パターンに応じてランプの制御パターンを変化させる点灯装置が知られている（例えば、特許文献１参照）。
【先行技術文献】
【特許文献】
【０００３】
【特許文献１】特許第４００３７９６号公報
【発明の概要】
【発明が解決しようとする課題】
【０００４】
ところで、上述したランプ（放電灯）の点灯パターンとして、映像信号に応じてランプに供給される駆動電力を変化させる駆動が挙げられる。このような駆動においては、駆動電力の値が比較的小さくなる状態が比較的長く設けられるような場合、電極の突起を十分に成長させにくく、ランプの寿命が低下する場合があった。
【０００５】
本発明の一つの態様は、上記問題点に鑑みて成されたものであって、放電灯の寿命を向上できる放電灯駆動装置、そのような放電灯駆動装置を備えた光源装置、およびそのような光源装置を備えたプロジェクターを提供することを目的の一つとする。また、本発明の一つの態様は、放電灯の寿命を向上できる放電灯駆動方法を提供することを目的の一つとする。
【課題を解決するための手段】
【０００６】
本発明の放電灯駆動装置の一つの態様は、電極を有する放電灯に駆動電流を供給する放電灯駆動部と、前記放電灯駆動部を制御する制御部と、を備え、前記放電灯駆動部は、所定の駆動電力が前記放電灯に供給される第１モードと、前記駆動電力の値が時間的に変化する第２モードと、を有し、前記制御部は、前記第２モードにおいて、前記駆動電力の変化に応じて前記放電灯に供給される前記駆動電流の駆動パターンを変化させ、前記制御部は、前記第２モードにおいて、所定期間における前記駆動電力の値が所定値以下となる期間の割合が所定の割合よりも大きくなる場合、前記駆動電力が前記所定値以下となる期間における駆動パターンを、第１駆動パターンから、前記電極に加えられる熱負荷が前記第１駆動パターンよりも大きい第２駆動パターンに切り換えることを特徴とする。
【０００７】
本発明の放電灯駆動装置の一つの態様によれば、第２モードにおいて駆動電力の値が比較的小さくなる状態が比較的長く設けられるような場合に、駆動電力が所定値以下となる期間における駆動パターンを第２駆動パターンに切り換えることで、電極に好適に熱負荷を加えることができ、電極の突起を好適に成長させることができる。これにより、本発明の放電灯駆動装置の一つの態様によれば、放電灯の寿命を向上させることができる。
【０００８】
前記第２駆動パターンは、前記第１モードにおいて前記放電灯に供給される前記駆動電流の駆動パターンと同じである構成としてもよい。
この構成によれば、第２モードにおいて駆動電力の値が比較的小さくなる場合に、第１モードを実行している場合と同様に電極に熱負荷を加えることができ、電極の突起をより好適に成長させることができる。したがって、放電灯の寿命をより向上できる。
【０００９】
前記制御部は、前記第１駆動パターンから前記第２駆動パターンに切り換えてから所定時間が経過した場合、前記駆動電力が前記所定値以下となる期間における前記駆動パターンを前記第２駆動パターンから前記第１駆動パターンに切り換える構成としてもよい。
この構成によれば、第１駆動パターンと第２駆動パターンとを好適に切り換えて、電極に対して好適に熱負荷を加えやすい。これにより、放電灯の寿命をより向上できる。
【００１０】
前記制御部は、前記放電灯の電極間電圧に応じて、前記所定時間を変化させる構成としてもよい。
この構成によれば、放電灯の劣化に応じて、第２駆動パターンの実行時間を変化させやすく、放電灯の寿命をより向上できる。
【００１１】
前記制御部は、前記電極間電圧が第１電圧となるときの前記所定時間を、前記電極間電圧が前記第１電圧よりも小さい第２電圧となるときの前記所定時間よりも長くする構成としてもよい。
この構成によれば、放電灯が劣化するほど、第２駆動パターンの実行時間を長くしやすく、電極に加えられる熱負荷を大きくできる。これにより、放電灯の寿命をより向上できる。
【００１２】
前記制御部は、前記第２モードにおいて、前記駆動電力が前記所定値以下となる期間における駆動パターンが前記第２駆動パターンであり、かつ、前記所定期間における前記駆動電力の値が前記所定値以下となる期間の割合が前記所定の割合以下になる場合、前記駆動電力が前記所定値以下となる期間における前記駆動パターンを、前記第２駆動パターンから前記第１駆動パターンに切り換える構成としてもよい。
この構成によれば、駆動電力の値の変化の状態に応じて、第１駆動パターンと第２駆動パターンとを好適に切り換えやすい。そのため、放電灯の寿命をより向上できる。
【００１３】
本発明の光源装置の一つの態様は、光を射出する放電灯と、上記の放電灯駆動装置と、を備えることを特徴とする。
【００１４】
本発明の光源装置の一つの態様によれば、上記の放電灯駆動装置を備えるため、放電灯の寿命を向上できる。
【００１５】
本発明のプロジェクターの一つの態様は、上記の光源装置と、前記光源装置から射出される光を画像信号に応じて変調する光変調装置と、前記光変調装置により変調された光を投射する投射光学系と、を備えることを特徴とする。
【００１６】
本発明のプロジェクターの一つの態様によれば、上記の光源装置を備えるため、放電灯の寿命を向上できる。
【００１７】
本発明の放電灯駆動方法の一つの態様は、電極を有する放電灯に駆動電流を供給して、前記放電灯を駆動する放電灯駆動方法であって、所定の駆動電力が前記放電灯に供給される第１モードと、前記駆動電力の値が時間的に変化する第２モードと、を有し、前記第２モードにおいて、前記駆動電力の変化に応じて前記放電灯に供給される前記駆動電流の駆動パターンを変化させ、前記第２モードにおいて、所定期間における前記駆動電力の値が所定値以下となる期間の割合が所定の割合よりも大きくなる場合、前記駆動電力が前記所定値以下となる期間における駆動パターンを、前記第１駆動パターンから、前記電極に加えられる熱負荷が前記第１駆動パターンよりも大きい第２駆動パターンに切り換えることを特徴とする。
【００１８】
本発明の放電灯駆動方法の一つの態様によれば、上述したのと同様にして、放電灯の寿命を向上できる。
【図面の簡単な説明】
【００１９】
【図１】本実施形態のプロジェクターの概略構成図である。
【図２】本実施形態における放電灯を示す図である。
【図３】本実施形態のプロジェクターの各種構成要素を示すブロック図である。
【図４】本実施形態の放電灯点灯装置の回路図である。
【図５】本実施形態の制御部の一構成例を示すブロック図である。
【図６Ａ】放電灯の電極先端の突起の様子を示す図である。
【図６Ｂ】放電灯の電極先端の突起の様子を示す図である。
【図７】本実施形態の低電力駆動モードにおける駆動パターンの一例を示す模式図である。
【図８】本実施形態の混合期間において放電灯に供給される駆動電流の一例を示す図である。
【図９】本実施形態の片寄期間において放電灯に供給される駆動電流の一例を示す図である。
【図１０】本実施形態の調光駆動モードにおける、駆動電力の変化に対する駆動電流の駆動パターンの変化の一例を示す図である。
【図１１】本実施形態の調光駆動モードにおける駆動パターンの一例を示す模式図である。
【図１２】本実施形態の調光駆動モードにおける、駆動電力の変化に対する駆動電流の駆動パターンの変化の他の一例を示す図である。
【発明を実施するための形態】
【００２０】
以下、図面を参照しながら、本発明の実施形態に係るプロジェクターについて説明する。
なお、本発明の範囲は、以下の実施の形態に限定されるものではなく、本発明の技術的思想の範囲内で任意に変更可能である。また、以下の図面においては、各構成をわかりやすくするために、実際の構造と各構造における縮尺や数等を異ならせる場合がある。
【００２１】
図１に示すように、本実施形態のプロジェクター５００は、光源装置２００と、平行化レンズ３０５と、照明光学系３１０と、色分離光学系３２０と、３つの液晶ライトバルブ（光変調装置）３３０Ｒ，３３０Ｇ，３３０Ｂと、クロスダイクロイックプリズム３４０と、投射光学系３５０と、を備えている。
【００２２】
光源装置２００から射出された光は、平行化レンズ３０５を通過して照明光学系３１０に入射する。平行化レンズ３０５は、光源装置２００からの光を平行化する。
【００２３】
照明光学系３１０は、光源装置２００から射出される光の照度を、液晶ライトバルブ３３０Ｒ，３３０Ｇ，３３０Ｂ上において均一化するように調整する。さらに、照明光学系３１０は、光源装置２００から射出される光の偏光方向を一方向に揃える。その理由は、光源装置２００から射出される光を液晶ライトバルブ３３０Ｒ，３３０Ｇ，３３０Ｂで有効に利用するためである。
【００２４】
照度分布と偏光方向とが調整された光は、色分離光学系３２０に入射する。色分離光学系３２０は、入射光を赤色光（Ｒ）、緑色光（Ｇ）、青色光（Ｂ）の３つの色光に分離する。３つの色光は、各色光に対応付けられた液晶ライトバルブ３３０Ｒ，３３０Ｇ，３３０Ｂにより、映像信号に応じてそれぞれ変調される。液晶ライトバルブ３３０Ｒ，３３０Ｇ，３３０Ｂは、後述する液晶パネル５６０Ｒ，５６０Ｇ，５６０Ｂと、偏光板（図示せず）と、を備えている。偏光板は、液晶パネル５６０Ｒ，５６０Ｇ，５６０Ｂのそれぞれの光入射側および光射出側に配置される。
【００２５】
変調された３つの色光は、クロスダイクロイックプリズム３４０により合成される。合成光は投射光学系３５０に入射する。投射光学系３５０は、入射光をスクリーン７００（図３参照）に投射する。これにより、スクリーン７００上に映像が表示される。なお、平行化レンズ３０５、照明光学系３１０、色分離光学系３２０、クロスダイクロイックプリズム３４０、投射光学系３５０の各々の構成としては、周知の構成を採用することができる。
【００２６】
図２は、光源装置２００の構成を示す断面図である。光源装置２００は、光源ユニット２１０と、放電灯点灯装置（放電灯駆動装置）１０と、を備えている。図２には、光源ユニット２１０の断面図が示されている。光源ユニット２１０は、主反射鏡１１２と、放電灯９０と、副反射鏡１１３と、を備えている。
【００２７】
放電灯点灯装置１０は、放電灯９０に駆動電流Ｉを供給して放電灯９０を点灯させる。主反射鏡１１２は、放電灯９０から放出された光を照射方向Ｄに向けて反射する。照射方向Ｄは、放電灯９０の光軸ＡＸと平行である。
【００２８】
放電灯９０の形状は、照射方向Ｄに沿って延びる棒状である。放電灯９０の一方の端部を第１端部９０ｅ１とし、放電灯９０の他方の端部を第２端部９０ｅ２とする。放電灯９０の材料は、例えば、石英ガラス等の透光性材料である。放電灯９０の中央部は球状に膨らんでおり、その内部は放電空間９１である。放電空間９１には、希ガス、金属ハロゲン化合物等を含む放電媒体であるガスが封入されている。
【００２９】
放電空間９１には、第１電極（電極）９２および第２電極（電極）９３の先端が突出している。第１電極９２は、放電空間９１の第１端部９０ｅ１側に配置されている。第２電極９３は、放電空間９１の第２端部９０ｅ２側に配置されている。第１電極９２および第２電極９３の形状は、光軸ＡＸに沿って延びる棒状である。放電空間９１には、第１電極９２および第２電極９３の電極先端部が、所定距離だけ離れて対向するように配置されている。第１電極９２および第２電極９３の材料は、例えば、タングステン等の金属である。
【００３０】
放電灯９０の第１端部９０ｅ１に、第１端子５３６が設けられている。第１端子５３６と第１電極９２とは、放電灯９０の内部を貫通する導電性部材５３４により電気的に接続されている。同様に、放電灯９０の第２端部９０ｅ２に、第２端子５４６が設けられている。第２端子５４６と第２電極９３とは、放電灯９０の内部を貫通する導電性部材５４４により電気的に接続されている。第１端子５３６および第２端子５４６の材料は、例えば、タングステン等の金属である。導電性部材５３４，５４４の材料としては、例えば、モリブデン箔が利用される。
【００３１】
第１端子５３６および第２端子５４６は、放電灯点灯装置１０に接続されている。放電灯点灯装置１０は、第１端子５３６および第２端子５４６に、放電灯９０を駆動するための駆動電流Ｉを供給する。その結果、第１電極９２および第２電極９３の間でアーク放電が起きる。アーク放電により発生した光（放電光）は、破線の矢印で示すように、放電位置から全方向に向かって放射される。
【００３２】
主反射鏡１１２は、固定部材１１４により、放電灯９０の第１端部９０ｅ１に固定されている。主反射鏡１１２は、放電光のうち、照射方向Ｄと反対側に向かって進む光を照射方向Ｄに向かって反射する。主反射鏡１１２の反射面（放電灯９０側の面）の形状は、放電光を照射方向Ｄに向かって反射できる範囲内において、特に限定されず、例えば、回転楕円形状であっても、回転放物線形状であってもよい。例えば、主反射鏡１１２の反射面の形状を回転放物線形状とした場合、主反射鏡１１２は、放電光を光軸ＡＸに略平行な光に変換することができる。これにより、平行化レンズ３０５を省略することができる。
【００３３】
副反射鏡１１３は、固定部材５２２により、放電灯９０の第２端部９０ｅ２側に固定されている。副反射鏡１１３の反射面（放電灯９０側の面）の形状は、放電空間９１の第２端部９０ｅ２側の部分を囲む球面形状である。副反射鏡１１３は、放電光のうち、主反射鏡１１２が配置された側と反対側に向かって進む光を主反射鏡１１２に向かって反射する。これにより、放電空間９１から放射される光の利用効率を高めることができる。
【００３４】
固定部材１１４，５２２の材料は、放電灯９０からの発熱に耐え得る耐熱材料である範囲内において、特に限定されず、例えば、無機接着剤である。主反射鏡１１２および副反射鏡１１３と放電灯９０との配置を固定する方法としては、主反射鏡１１２および副反射鏡１１３を放電灯９０に固定する方法に限らず、任意の方法を採用できる。例えば、放電灯９０と主反射鏡１１２とを、独立にプロジェクター５００の筐体（図示せず）に固定してもよい。副反射鏡１１３についても同様である。
【００３５】
以下、プロジェクター５００の回路構成について説明する。
図３は、本実施形態のプロジェクター５００の回路構成の一例を示す図である。プロジェクター５００は、図１に示した光学系の他、画像信号変換部５１０と、直流電源装置８０と、液晶パネル５６０Ｒ，５６０Ｇ，５６０Ｂと、画像処理装置５７０と、ＣＰＵ（Central Processing Unit）５８０と、を備えている。
【００３６】
画像信号変換部５１０は、外部から入力された画像信号５０２（輝度−色差信号やアナログＲＧＢ信号など）を所定のワード長のデジタルＲＧＢ信号に変換して画像信号５１２Ｒ，５１２Ｇ，５１２Ｂを生成し、画像処理装置５７０に供給する。
【００３７】
画像処理装置５７０は、３つの画像信号５１２Ｒ，５１２Ｇ，５１２Ｂに対してそれぞれ画像処理を行う。画像処理装置５７０は、液晶パネル５６０Ｒ，５６０Ｇ，５６０Ｂをそれぞれ駆動するための駆動信号５７２Ｒ，５７２Ｇ，５７２Ｂを液晶パネル５６０Ｒ，５６０Ｇ，５６０Ｂに供給する。
【００３８】
直流電源装置８０は、外部の交流電源６００から供給される交流電圧を一定の直流電圧に変換する。直流電源装置８０は、トランス（図示しないが、直流電源装置８０に含まれる）の２次側にある画像信号変換部５１０、画像処理装置５７０およびトランスの１次側にある放電灯点灯装置１０に直流電圧を供給する。
【００３９】
放電灯点灯装置１０は、起動時に放電灯９０の電極間に高電圧を発生し、絶縁破壊を生じさせて放電路を形成する。以後、放電灯点灯装置１０は、放電灯９０が放電を維持するための駆動電流Ｉを供給する。
【００４０】
液晶パネル５６０Ｒ，５６０Ｇ，５６０Ｂは、前述した液晶ライトバルブ３３０Ｒ，３３０Ｇ，３３０Ｂにそれぞれ備えられている。液晶パネル５６０Ｒ，５６０Ｇ，５６０Ｂは、それぞれ駆動信号５７２Ｒ，５７２Ｇ，５７２Ｂに基づいて、前述した光学系を介して各液晶パネル５６０Ｒ，５６０Ｇ，５６０Ｂに入射される色光の透過率（輝度）を変調する。
【００４１】
ＣＰＵ５８０は、プロジェクター５００の点灯開始から消灯に至るまでの各種の動作を制御する。例えば、図３では、通信信号５８２を介して点灯命令や消灯命令を放電灯点灯装置１０に出力する。ＣＰＵ５８０は、放電灯点灯装置１０から通信信号５８４を介して放電灯９０の点灯情報を受け取る。
【００４２】
以下、放電灯点灯装置１０の構成について説明する。
図４は、放電灯点灯装置１０の回路構成の一例を示す図である。
放電灯点灯装置１０は、図４に示すように、電力制御回路２０と、極性反転回路３０と、制御部４０と、動作検出部６０と、イグナイター回路７０と、を備えている。
【００４３】
電力制御回路２０は、放電灯９０に供給する駆動電力Ｗｄを生成する。本実施形態においては、電力制御回路２０は、直流電源装置８０からの電圧を入力とし、入力電圧を降圧して直流電流Ｉｄを出力するダウンチョッパー回路で構成されている。
【００４４】
電力制御回路２０は、スイッチ素子２１、ダイオード２２、コイル２３およびコンデンサー２４を含んで構成される。スイッチ素子２１は、例えば、トランジスターで構成される。本実施形態においては、スイッチ素子２１の一端は直流電源装置８０の正電圧側に接続され、他端はダイオード２２のカソード端子およびコイル２３の一端に接続されている。
【００４５】
コイル２３の他端にコンデンサー２４の一端が接続され、コンデンサー２４の他端はダイオード２２のアノード端子および直流電源装置８０の負電圧側に接続されている。スイッチ素子２１の制御端子には、後述する制御部４０から電流制御信号が入力されてスイッチ素子２１のＯＮ／ＯＦＦが制御される。電流制御信号には、例えば、ＰＷＭ（Pulse Width Modulation）制御信号が用いられてもよい。
【００４６】
スイッチ素子２１がＯＮすると、コイル２３に電流が流れ、コイル２３にエネルギーが蓄えられる。その後、スイッチ素子２１がＯＦＦすると、コイル２３に蓄えられたエネルギーがコンデンサー２４とダイオード２２とを通る経路で放出される。その結果、スイッチ素子２１がＯＮする時間の割合に応じた直流電流Ｉｄが発生する。
【００４７】
極性反転回路３０は、電力制御回路２０から入力される直流電流Ｉｄを所定のタイミングで極性反転させる。これにより、極性反転回路３０は、制御された時間だけ継続する直流である駆動電流Ｉ、もしくは、任意の周波数を持つ交流である駆動電流Ｉを生成し、出力する。本実施形態において、極性反転回路３０は、インバーターブリッジ回路（フルブリッジ回路）で構成されている。
【００４８】
極性反転回路３０は、例えば、トランジスターなどで構成される第１のスイッチ素子３１、第２のスイッチ素子３２、第３のスイッチ素子３３、および第４のスイッチ素子３４を含んでいる。極性反転回路３０は、直列接続された第１のスイッチ素子３１および第２のスイッチ素子３２と、直列接続された第３のスイッチ素子３３および第４のスイッチ素子３４と、が互いに並列接続された構成を有する。第１のスイッチ素子３１、第２のスイッチ素子３２、第３のスイッチ素子３３、および第４のスイッチ素子３４の制御端子には、それぞれ制御部４０から極性反転制御信号が入力される。この極性反転制御信号に基づいて、第１のスイッチ素子３１、第２のスイッチ素子３２、第３のスイッチ素子３３および第４のスイッチ素子３４のＯＮ／ＯＦＦ動作が制御される。
【００４９】
極性反転回路３０においては、第１のスイッチ素子３１および第４のスイッチ素子３４と、第２のスイッチ素子３２および第３のスイッチ素子３３と、を交互にＯＮ／ＯＦＦさせる動作が繰り返される。これにより、電力制御回路２０から出力される直流電流Ｉｄの極性が交互に反転する。極性反転回路３０は、第１のスイッチ素子３１と第２のスイッチ素子３２との共通接続点、および第３のスイッチ素子３３と第４のスイッチ素子３４との共通接続点から、制御された時間だけ同一極性状態を継続する直流である駆動電流Ｉ、もしくは制御された周波数をもつ交流である駆動電流Ｉを生成し、出力する。
【００５０】
すなわち、極性反転回路３０は、第１のスイッチ素子３１および第４のスイッチ素子３４がＯＮのときには第２のスイッチ素子３２および第３のスイッチ素子３３がＯＦＦであり、第１のスイッチ素子３１および第４のスイッチ素子３４がＯＦＦのときには第２のスイッチ素子３２および第３のスイッチ素子３３がＯＮであるように制御される。したがって、第１のスイッチ素子３１および第４のスイッチ素子３４がＯＮのときには、コンデンサー２４の一端から第１のスイッチ素子３１、放電灯９０、第４のスイッチ素子３４の順に流れる駆動電流Ｉが発生する。第２のスイッチ素子３２および第３のスイッチ素子３３がＯＮのときには、コンデンサー２４の一端から第３のスイッチ素子３３、放電灯９０、第２のスイッチ素子３２の順に流れる駆動電流Ｉが発生する。
【００５１】
本実施形態において、電力制御回路２０と極性反転回路３０とを合わせた部分が放電灯駆動部２３０に対応する。すなわち、放電灯駆動部２３０は、放電灯９０を駆動する駆動電流Ｉを放電灯９０に供給する。
【００５２】
制御部４０は、放電灯駆動部２３０を制御する。図４の例では、制御部４０は、電力制御回路２０および極性反転回路３０を制御することにより、駆動電流Ｉが同一極性を継続する保持時間、駆動電流Ｉの電流値、駆動電力Ｗｄの電力値、周波数等のパラメーターを制御する。制御部４０は、極性反転回路３０に対して、駆動電流Ｉの極性反転タイミングにより、駆動電流Ｉが同一極性で継続する保持時間、駆動電流Ｉの周波数等を制御する極性反転制御を行う。制御部４０は、電力制御回路２０に対して、出力される直流電流Ｉｄの電流値を制御する電流制御を行う。
【００５３】
制御部４０の構成は、特に限定されない。本実施形態においては、制御部４０は、システムコントローラー４１、電力制御回路コントローラー４２、および極性反転回路コントローラー４３を含んで構成されている。なお、制御部４０は、その一部または全てを半導体集積回路で構成してもよい。
【００５４】
システムコントローラー４１は、電力制御回路コントローラー４２および極性反転回路コントローラー４３を制御することにより、電力制御回路２０および極性反転回路３０を制御する。システムコントローラー４１は、動作検出部６０が検出したランプ電圧（電極間電圧）Ｖｌａおよび駆動電流Ｉに基づき、電力制御回路コントローラー４２および極性反転回路コントローラー４３を制御してもよい。
【００５５】
本実施形態においては、システムコントローラー４１には、記憶部４４が接続されている。
システムコントローラー４１は、記憶部４４に格納された情報に基づき、電力制御回路２０および極性反転回路３０を制御してもよい。記憶部４４には、例えば、駆動電流Ｉが同一極性で継続する保持時間、駆動電流Ｉの電流値、周波数、波形、変調パターン等の駆動パラメーターに関する情報が格納されていてもよい。
【００５６】
電力制御回路コントローラー４２は、システムコントローラー４１からの制御信号に基づき、電力制御回路２０へ電流制御信号を出力することにより、電力制御回路２０を制御する。
【００５７】
極性反転回路コントローラー４３は、システムコントローラー４１からの制御信号に基づき、極性反転回路３０へ極性反転制御信号を出力することにより、極性反転回路３０を制御する。
【００５８】
制御部４０は、専用回路を用いて実現され、上述した制御や後述する処理の各種制御を行うようにすることができる。これに対して、制御部４０は、例えば、ＣＰＵが記憶部４４に記憶された制御プログラムを実行することによりコンピューターとして機能し、これらの処理の各種制御を行うようにすることもできる。
【００５９】
図５は、制御部４０の他の構成例について説明するための図である。図５に示すように、制御部４０は、制御プログラムにより、電力制御回路２０を制御する電流制御手段４０−１、極性反転回路３０を制御する極性反転制御手段４０−２として機能するように構成されてもよい。
【００６０】
図４に示した例では、制御部４０は、放電灯点灯装置１０の一部として構成されている。これに対して、制御部４０の機能の一部をＣＰＵ５８０が担うように構成されていてもよい。
【００６１】
動作検出部６０は、本実施形態においては、放電灯９０のランプ電圧Ｖｌａを検出して制御部４０にランプ電圧情報を出力する電圧検出部を含む。また、動作検出部６０は、駆動電流Ｉを検出して制御部４０に駆動電流情報を出力する電流検出部などを含んでいてもよい。本実施形態においては、動作検出部６０は、第１の抵抗６１、第２の抵抗６２および第３の抵抗６３を含んで構成されている。
【００６２】
本実施形態において、動作検出部６０の電圧検出部は、放電灯９０と並列に、互いに直列接続された第１の抵抗６１および第２の抵抗６２で分圧した電圧によりランプ電圧Ｖｌａを検出する。また、本実施形態において、電流検出部は、放電灯９０に直列に接続された第３の抵抗６３に発生する電圧により駆動電流Ｉを検出する。
【００６３】
イグナイター回路７０は、放電灯９０の点灯開始時にのみ動作する。イグナイター回路７０は、放電灯９０の点灯開始時に放電灯９０の電極間（第１電極９２と第２電極９３との間）を絶縁破壊して放電路を形成するために必要な高電圧（放電灯９０の通常点灯時よりも高い電圧）を、放電灯９０の電極間（第１電極９２と第２電極９３との間）に供給する。本実施形態においては、イグナイター回路７０は、放電灯９０と並列に接続されている。
【００６４】
図６Ａおよび図６Ｂには、第１電極９２および第２電極９３の先端部分が示されている。第１電極９２および第２電極９３の先端にはそれぞれ突起５５２ｐ，５６２ｐが形成されている。
【００６５】
第１電極９２と第２電極９３の間で生じる放電は、主として突起５５２ｐと突起５６２ｐとの間で生じる。本実施形態のように突起５５２ｐ，５６２ｐがある場合には、突起が無い場合と比べて、第１電極９２および第２電極９３における放電位置（アーク位置）の移動を抑えることができる。
【００６６】
図６Ａは、第１電極９２が陽極として動作し、第２電極９３が陰極として動作する第１極性状態を示している。第１極性状態では、放電により、第２電極９３（陰極）から第１電極９２（陽極）へ電子が移動する。陰極（第２電極９３）からは電子が放出される。陰極（第２電極９３）から放出された電子は陽極（第１電極９２）の先端に衝突する。この衝突によって熱が生じ、陽極（第１電極９２）の先端（突起５５２ｐ）の温度が上昇する。
【００６７】
図６Ｂは、第１電極９２が陰極として動作し、第２電極９３が陽極として動作する第２極性状態を示している。第２極性状態では、第１極性状態とは逆に、第１電極９２から第２電極９３へ電子が移動する。その結果、第２電極９３の先端（突起５６２ｐ）の温度が上昇する。
【００６８】
このように、放電灯９０に駆動電流Ｉが供給されることで、電子が衝突する陽極の温度は上昇する。一方、電子を放出する陰極は、陽極に向けて電子を放出している間、温度は低下する。
【００６９】
第１電極９２と第２電極９３との電極間距離は、突起５５２ｐ，５６２ｐの劣化とともに大きくなる。突起５５２ｐ，５６２ｐが損耗するためである。電極間距離が大きくなると、第１電極９２と第２電極９３との間の抵抗が大きくなるため、ランプ電圧Ｖｌａが大きくなる。したがって、ランプ電圧Ｖｌａを参照することによって、電極間距離の変化、すなわち、放電灯９０の劣化度合いを検出することができる。
【００７０】
なお、第１電極９２と第２電極９３とは、同様の構成であるため、以下の説明においては、代表して第１電極９２についてのみ説明する場合がある。また、第１電極９２の先端の突起５５２ｐと第２電極９３の先端の突起５６２ｐとは、同様の構成であるため、以下の説明においては、代表して突起５５２ｐについてのみ説明する場合がある。
【００７１】
次に、制御部４０による放電灯駆動部２３０の制御について説明する。本実施形態において、制御部４０は、放電灯駆動部２３０を駆動させる駆動として、低電力駆動と、調光駆動と、を実行可能である。すなわち、放電灯駆動部２３０は、駆動モードとして、低電力駆動が実行される低電力駆動モード（第１モード）ＭＬと、調光駆動が実行される調光駆動モード（第２モード）ＭＣと、を有する。なお、低電力駆動モードＭＬおよび調光駆動モードＭＣは、プロジェクター５００の図示しない操作ボタン等の操作部やリモコン等の外部装置により使用者によって選択可能なプロジェクター５００のモードにそれぞれ対応している。
【００７２】
低電力駆動モードＭＬは、所定の駆動電力Ｗｄが放電灯９０に供給されるモードである。低電力駆動モードＭＬにおいては、放電灯９０の定格電力よりも比較的小さい駆動電力Ｗｄが放電灯９０に供給される。低電力駆動モードＭＬにおいては、放電灯９０に低電力駆動パターン（第２駆動パターン）ＤＷＬの駆動電流Ｉが供給される。定格電力が２１５Ｗの場合、低電力駆動モードＭＬにおいて放電灯９０に供給される駆動電力Ｗｄは、例えば、１６０Ｗである。
【００７３】
図７は、本実施形態の低電力駆動モードＭＬにおける低電力駆動パターンＤＷＬの一例を示す模式図である。図７に示すように、本実施形態の低電力駆動パターンＤＷＬにおいては、交流期間Ｐ１と直流期間Ｐ２とが交互に繰り返される混合期間ＰＨ１と、片寄期間Ｐ３とが交互に繰り返される。混合期間ＰＨ１における交流期間Ｐ１の数と直流期間Ｐ２の数とは、特に限定されない。
【００７４】
図８は、混合期間ＰＨ１において放電灯９０に供給される駆動電流Ｉの一例を示す図である。図８において、縦軸は駆動電流Ｉを示しており、横軸は時間Ｔを示している。また、駆動電流Ｉは、第１極性状態である場合を正とし、第２極性状態となる場合を負として示している。
【００７５】
図８に示すように、交流期間Ｐ１は、放電灯９０に交流電流が供給される期間である。本実施形態において交流期間Ｐ１は、第１交流期間Ｐ１１と、第２交流期間Ｐ１２と、第３交流期間Ｐ１３と、第４交流期間Ｐ１４と、を有する。第１交流期間Ｐ１１と、第２交流期間Ｐ１２と、第３交流期間Ｐ１３と、第４交流期間Ｐ１４とは、この順に連続して設けられる。
【００７６】
本実施形態において第１交流期間Ｐ１１と、第２交流期間Ｐ１２と、第３交流期間Ｐ１３と、第４交流期間Ｐ１４と、における交流電流は、例えば、電流値Ｉｍ１と電流値−Ｉｍ１との間で極性が複数回反転される矩形波交流電流である。
【００７７】
第１交流期間Ｐ１１における周波数ｆ１１と、第２交流期間Ｐ１２における周波数ｆ１２と、第３交流期間Ｐ１３における周波数ｆ１３と、第４交流期間Ｐ１４における周波数ｆ１４とは、互いに異なる。すなわち、交流期間Ｐ１は、放電灯９０に供給される交流電流の周波数ｆが互いに異なる交流期間を複数有している。
【００７８】
本実施形態において周波数ｆ１１と、周波数ｆ１２と、周波数ｆ１３と、周波数ｆ１４とは、この順に小さくなる。すなわち、交流期間Ｐ１において、時間的に後に設けられる交流期間ほど交流電流の周波数ｆが低くなる。
【００７９】
本実施形態において、第１交流期間Ｐ１１の長さｔ１１と、第２交流期間Ｐ１２の長さｔ１２と、第３交流期間Ｐ１３の長さｔ１３と、第４交流期間Ｐ１４の長さｔ１４とは、例えば、同じである。本実施形態において、交流期間Ｐ１の長さｔ１、すなわち、長さｔ１１〜ｔ１４の合計の長さは、例えば、１０ｍｓ（ミリ秒）以上、１０ｓ（秒）以下である。交流期間Ｐ１の長さｔ１がこのように設定されることで、第１電極９２の突起５５２ｐに好適に熱負荷を加えることができる。
【００８０】
直流期間Ｐ２は、放電灯９０に直流電流が供給される期間である。図８に示す例では、直流期間Ｐ２においては、一定の電流値Ｉｍ１を有する第１極性の駆動電流Ｉが放電灯９０に供給される。直流期間Ｐ２において放電灯９０に供給される直流電流の極性は、直流期間Ｐ２が設けられるごとに反転する。
【００８１】
すなわち、図７に示す混合期間ＰＨ１において、交流期間Ｐ１の直前に設けられる直流期間Ｐ２の直流電流と、交流期間Ｐ１の直後に設けられる直流期間Ｐ２の直流電流とでは、互いに極性が異なる。例えば、交流期間Ｐ１の直前に設けられる直流期間Ｐ２の直流電流の極性が、図８に示す直流期間Ｐ２の直流電流と同様に第１極性である場合、交流期間Ｐ１の直後に設けられる直流期間Ｐ２の直流電流の極性は、第１極性と反対の第２極性である。この場合、交流期間Ｐ１の直後に設けられる直流期間Ｐ２においては、一定の電流値−Ｉｍを有する第２極性の駆動電流Ｉが放電灯９０に供給される。
【００８２】
図８に示す直流期間Ｐ２の長さｔ２は、交流期間Ｐ１における交流電流の半周期の長さよりも大きい。直流期間Ｐ２の長さｔ２は、例えば、１０ｍｓ（ミリ秒）以上、２０ｍｓ（ミリ秒）以下である。直流期間Ｐ２の長さｔ２がこのように設定されることで、第１電極９２の突起５５２ｐに好適に熱負荷を加えることができる。
【００８３】
図９は、片寄期間Ｐ３において放電灯９０に供給される駆動電流Ｉの一例を示す図である。図９において、縦軸は駆動電流Ｉを示しており、横軸は時間Ｔを示している。駆動電流Ｉは、第１極性状態である場合を正とし、第２極性状態となる場合を負として示している。
【００８４】
図９に示すように、片寄期間Ｐ３は、第１直流期間Ｐ３１および第２直流期間Ｐ３２を交互に含む期間である。第１直流期間Ｐ３１は、放電灯９０に直流電流が供給される期間である。図９に示す例では、第１直流期間Ｐ３１においては、一定の電流値Ｉｍ１を有する第１極性の駆動電流Ｉが放電灯９０に供給される。
【００８５】
第２直流期間Ｐ３２は、第１直流期間Ｐ３１において放電灯９０に供給される直流電流の極性と反対の極性を有する直流電流が放電灯９０に供給される期間である。すなわち、図９に示す例では、第２直流期間Ｐ３２においては、一定の電流値−Ｉｍを有する第２極性の駆動電流Ｉが放電灯９０に供給される。
【００８６】
第１直流期間Ｐ３１において放電灯９０に供給される直流電流の極性および第２直流期間Ｐ３２において放電灯９０に供給される直流電流の極性は、片寄期間Ｐ３が設けられるごとに反転する。すなわち、図９に示される片寄期間Ｐ３の次に設けられる片寄期間Ｐ３においては、第１直流期間Ｐ３１において放電灯９０に供給される直流電流の極性は、第２極性となり、第２直流期間Ｐ３２において放電灯９０に供給される直流電流の極性は、第１極性となる。
【００８７】
第１直流期間Ｐ３１の長さｔ３１は、第２直流期間Ｐ３２の長さｔ３２よりも大きい。第１直流期間Ｐ３１の長さｔ３１は、例えば、第２直流期間Ｐ３２の長さｔ３２の１０倍以上である。第１直流期間Ｐ３１の長さｔ３１がこのように設定されることで、片寄期間Ｐ３において、一方の電極を好適に加熱しつつ、他方の電極の温度が低下し過ぎることを好適に抑制できる。
【００８８】
第１直流期間Ｐ３１の長さｔ３１は、例えば、５．０ｍｓ（ミリ秒）以上、２０ｍｓ（ミリ秒）以下である。第２直流期間Ｐ３２の長さｔ３２は、０．５ｍｓ（ミリ秒）よりも小さい。
【００８９】
片寄期間Ｐ３における第１直流期間Ｐ３１の長さｔ３１の合計は、直流期間Ｐ２の長さｔ２よりも大きい。片寄期間Ｐ３における第１直流期間Ｐ３１の長さｔ３１の合計とは、片寄期間Ｐ３に含まれるすべての第１直流期間Ｐ３１の長さｔ３１を足し合わせた長さである。図９に示す例では、片寄期間Ｐ３には、例えば、４つの第１直流期間Ｐ３１が含まれている。そのため、片寄期間Ｐ３における第１直流期間Ｐ３１の長さｔ３１の合計とは、４つの第１直流期間Ｐ３１の長さｔ３１を足し合わせた長さである。
【００９０】
片寄期間Ｐ３における第１直流期間Ｐ３１の長さｔ３１の合計は、例えば、１０ｍｓ（ミリ秒）以上、１．０ｓ（秒）以下である。片寄期間Ｐ３における第１直流期間Ｐ３１の長さｔ３１の合計がこのように設定されることで、第１電極９２の突起５５２ｐに加えられる熱負荷を好適に大きくできる。第１直流期間Ｐ３１の長さｔ３１は、それぞれ同じであってもよいし、互いに異なっていてもよい。図９に示す例では、第１直流期間Ｐ３１の長さｔ３１は、それぞれ同じである。
【００９１】
片寄期間Ｐ３が設けられる間隔、すなわち混合期間ＰＨ１の長さは、例えば、３０ｓ（秒）である。片寄期間Ｐ３の長さは、例えば、１００ｍｓ（ミリ秒）である。図７に示すように、本実施形態において片寄期間Ｐ３は、交流期間Ｐ１の直後に設けられている。片寄期間Ｐ３の直後には、交流期間Ｐ１が設けられている。すなわち、片寄期間Ｐ３は、交流期間Ｐ１に時間的に挟まれて設けられている。
【００９２】
調光駆動モードＭＣは、駆動電力Ｗｄの値が時間的に変化するモードである。調光駆動モードＭＣにおいて駆動電力Ｗｄの値は、プロジェクター５００に入力される映像信号に応じて変化する。具体的に制御部４０は、プロジェクター５００に入力される映像信号の輝度が高いほど、駆動電力Ｗｄを大きくし、プロジェクター５００に入力される映像信号の輝度が低いほど、駆動電力Ｗｄを小さくする。
【００９３】
本実施形態の調光駆動モードＭＣにおいては、駆動電力Ｗｄの変化に応じて放電灯９０に供給される駆動電流Ｉの駆動パターンが変化する。すなわち、制御部４０は、調光駆動モードＭＣにおいて、駆動電力Ｗｄの変化に応じて放電灯９０に供給される駆動電流Ｉの駆動パターンを変化させる。調光駆動モードＭＣは、第１調光駆動モード（第１電力変化モード）Ｍｄ１と、第１電極９２に加えられる熱負荷が第１調光駆動モードよりも大きい第２調光駆動モード（第２電力変化モード）Ｍｄ２と、を含む。制御部４０は、調光駆動を実行する際、放電灯駆動部２３０の駆動モード（調光駆動モードＭＣ）を、所定条件に基づいて、第１調光駆動モードＭｄ１と第２調光駆動モードＭｄ２との間で切り換える。
【００９４】
図１０は、本実施形態の調光駆動モードＭＣにおける、駆動電力Ｗｄの変化に対する駆動電流Ｉの駆動パターンの変化の一例を示す図である。図１０の上図は、駆動電力Ｗｄの変化を示す図であり、縦軸は駆動電力Ｗｄを示しており、横軸は時間Ｔを示している。図１０の下図は、駆動電流Ｉの駆動パターンの変化を示す模式図であり、横軸は時間Ｔを示している。
【００９５】
図１０に示すように、第１調光駆動モードＭｄ１において駆動電流Ｉの駆動パターンは、駆動パターン（第１駆動パターン）ＤＷ１と、駆動パターンＤＷ２と、駆動パターンＤＷ３との間で変化する。第１調光駆動モードＭｄ１において駆動電力Ｗｄの値が第１電力Ｗｄ１以上、第２電力（所定値）Ｗｄ２以下の第１範囲ＷＡ１内となる場合、駆動パターンＤＷ１の駆動電流Ｉが放電灯９０に供給される。第１調光駆動モードＭｄ１において駆動電力Ｗｄの値が第２電力Ｗｄ２よりも大きく、第３電力Ｗｄ３以下の第２範囲ＷＡ２内となる場合、駆動パターンＤＷ２の駆動電流Ｉが放電灯９０に供給される。第１調光駆動モードＭｄ１において駆動電力Ｗｄの値が第３電力Ｗｄ３よりも大きく、第４電力Ｗｄ４以下の第３範囲ＷＡ３内となる場合、駆動パターンＤＷ３の駆動電流Ｉが放電灯９０に供給される。第１電力Ｗｄ１と第２電力Ｗｄ２と第３電力Ｗｄ３と第４電力Ｗｄ４とは、この順に大きくなる。第４電力Ｗｄ４は、例えば、定格電力や定格電力に近い駆動電力である。
【００９６】
図１１は、本実施形態の調光駆動モードＭＣにおける駆動パターンＤＷ１〜ＤＷ３の一例を示す模式図である。図１１に示すように、本実施形態の駆動パターンＤＷ１〜ＤＷ３においては、上述した交流期間Ｐ１と直流期間Ｐ２とが交互に繰り返される。本実施形態の調光駆動モードＭＣにおける駆動パターンＤＷ１〜ＤＷ３においては、低電力駆動モードＭＬにおける低電力駆動パターンＤＷＬと異なり、片寄期間Ｐ３が設けられない。
【００９７】
本実施形態において駆動パターンＤＷ１〜ＤＷ３は、例えば、交流期間Ｐ１における駆動電流Ｉの周波数ｆ、および直流期間Ｐ２の長さｔ２がそれぞれ互いに異なる。駆動パターンＤＷ１によって第１電極９２に加えられる熱負荷は、駆動パターンＤＷ２によって第１電極９２に加えられる熱負荷よりも大きい。駆動パターンＤＷ２によって第１電極９２に加えられる熱負荷は、駆動パターンＤＷ３によって第１電極９２に加えられる熱負荷よりも大きい。すなわち、駆動パターンＤＷ３と駆動パターンＤＷ２と駆動パターンＤＷ１とは、この順に第１電極９２に加えられる熱負荷が大きくなる。これにより、駆動電力Ｗｄが小さくなるほど、第１電極９２に加えられる熱負荷が大きくなる。
【００９８】
図１０に示すように、第２調光駆動モードＭｄ２において駆動電流Ｉの駆動パターンは、駆動パターンＤＷ２と、駆動パターンＤＷ３と、図７に示した低電力駆動パターンＤＷＬ（第２駆動パターン）との間で変化する。第２調光駆動モードＭｄ２において駆動電力Ｗｄの値が第２範囲ＷＡ２内となる場合、第１調光駆動モードＭｄ１と同様に、駆動パターンＤＷ２の駆動電流Ｉが放電灯９０に供給される。第２調光駆動モードＭｄ２において駆動電力Ｗｄの値が第３範囲ＷＡ３内となる場合、第１調光駆動モードＭｄ１と同様に、駆動パターンＤＷ３の駆動電流Ｉが放電灯９０に供給される。第２調光駆動モードＭｄ２において駆動電力Ｗｄの値が第２電力Ｗｄ２よりも大きい場合に放電灯９０に供給される駆動電流Ｉの駆動パターンは、第１調光駆動モードＭｄ１において駆動電力Ｗｄの値が第２電力Ｗｄ２よりも大きい場合に放電灯９０に供給される駆動電流Ｉの駆動パターンと同じである。
【００９９】
一方、第２調光駆動モードＭｄ２において駆動電力Ｗｄの値が第１範囲ＷＡ１内となる場合、第１調光駆動モードＭｄ１と異なり、低電力駆動パターンＤＷＬの駆動電流Ｉが放電灯９０に供給される。すなわち、第２調光駆動モードＭｄ２において駆動電力Ｗｄの値が第１範囲ＷＡ１内となる場合、低電力駆動モードＭＬと同じ駆動パターンの駆動電流Ｉが放電灯９０に供給される。
【０１００】
低電力駆動パターンＤＷＬによって第１電極９２に加えられる熱負荷は、第１調光駆動モードＭｄ１における駆動パターンＤＷ１によって第１電極９２に加えられる熱負荷よりも大きい。これにより、第２調光駆動モードＭｄ２において第１電極９２に加えられる熱負荷が、第１調光駆動モードＭｄ１において第１電極９２に加えられる熱負荷よりも大きくなる。
【０１０１】
なお、本明細書において、第２調光駆動モードＭｄ２において第１電極９２に加えられる熱負荷が第１調光駆動モードＭｄ１よりも大きいとは、各調光駆動モードにおいて切り換えられる各駆動パターンによって第１電極９２に加えられる熱負荷の平均値が、第１調光駆動モードＭｄ１よりも第２調光駆動モードＭｄ２の方が大きいことを含む。
【０１０２】
また、本実施形態において、上述の通り、調光駆動モードＭＣは、第１調光駆動モードＭｄ１と第２調光駆動モードＭｄ２とを含み、制御部４０は、駆動電力Ｗｄの値が第１範囲ＷＡ１内となる場合の駆動パターンを、第１調光駆動モードＭｄ１は駆動パターンＤＷ１に設定し、第２調光駆動モードＭｄ２は低電力駆動パターンＤＷＬに設定する構成としたが、これに限らない。調光駆動モードＭＣは、単一のモードであり、所定の条件を満たした場合に、単に駆動電流Ｉの駆動パターンを変化させる（切り換える）構成としてもよい。
【０１０３】
なお、本実施形態において、第１調光駆動モードＭｄ１および第２調光駆動モードＭｄ２における各駆動パターンＤＷ１，ＤＷ２，ＤＷ３，ＤＷＬは、図７〜９および図１１に示されるように、電流値がＩｍおよび−Ｉｍで一定となる交流期間Ｐ１、直流期間Ｐ２、および片寄期間Ｐ３を含む駆動電流Ｉを一例としている。しかしながら、図１０に示されるように放電灯９０に供給される駆動電力Ｗｄの値が時間的に変化する調光駆動モードＭＣにおいて、各期間Ｐ１〜Ｐ３において放電灯９０に供給される駆動電流Ｉの電流値は、一定の電流値（Ｉｍ１および−Ｉｍ１）ではなく、実際は時間的に変化する。このように、制御部４０は、駆動電流Ｉの電流値を時間的に変化させることで、駆動電力Ｗｄを時間的に変化させる。
【０１０４】
各駆動モードにおける駆動パターンのパラメーターの一例を表１に示す。
【０１０５】
【表１】
2018107072.tif 000003
【０１０６】
表１において、交流期間Ｐ１の周波数ｆの範囲は、第１交流期間Ｐ１１の周波数ｆ１１、第２交流期間Ｐ１２の周波数ｆ１２、第３交流期間Ｐ１３の周波数ｆ１３、および第４交流期間Ｐ１４の周波数ｆ１４が選択される範囲を示している。表１に示す例では、第１電力Ｗｄ１は、１６０Ｗである。第２電力Ｗｄ２は、１７０Ｗである。第３電力Ｗｄ３は、１８０Ｗである。第４電力Ｗｄ４は、２１５Ｗである。表１では、低電力駆動パターンＤＷＬは、駆動パターンＤＷ１に対して、片寄期間Ｐ３が設けられている点のみ異なる。片寄期間Ｐ３が設けられることで、低電力駆動パターンＤＷＬによって第１電極９２に加えられる熱負荷は、駆動パターンＤＷ１によって第１電極９２に加えられる熱負荷よりも大きい。
【０１０７】
制御部４０は、調光駆動モードＭＣ（第１調光駆動モードＭｄ１）において、図１０に示す判定期間（所定期間）ＰＨｊにおける駆動電力Ｗｄの値が所定値以下となる期間の割合が所定の割合よりも大きくなる場合、放電灯駆動部２３０の駆動モードを、第１調光駆動モードＭｄ１から第２調光駆動モードＭｄ２に切り換える。すなわち、制御部４０は、調光駆動モードＭＣにおいて、所定期間における駆動電力Ｗｄの値が所定値以下となる期間の割合が所定の割合よりも大きくなる場合、駆動電力Ｗｄの値が所定値以下となる期間における駆動パターンを、駆動パターンＤＷ１（第１駆動パターン）から、第１電極９２に加えられる熱負荷が駆動パターンＤＷ１よりも大きい低電力駆動パターンＤＷＬ（第２駆動パターン）に切り換える。本実施形態において所定値は、第２電力Ｗｄ２である。すなわち、本実施形態において駆動電力Ｗｄの値が所定値以下となる期間とは、駆動電力Ｗｄが第１電力Ｗｄ１以上、第２電力Ｗｄ２以下となる第１範囲ＷＡ１内となる期間である。
【０１０８】
上述したように、第１調光駆動モードＭｄ１において駆動電力Ｗｄの値が所定値（第２電力Ｗｄ２）以下の場合、すなわち駆動電力Ｗｄの値が第１範囲ＷＡ１内となる場合に放電灯９０に供給される駆動電流Ｉの駆動パターンは、駆動パターンＤＷ１である。第２調光駆動モードＭｄ２において駆動電力Ｗｄの値が所定値（第２電力Ｗｄ２）以下の場合、すなわち駆動電力Ｗｄの値が第１範囲ＷＡ１内となる場合に放電灯９０に供給される駆動電流Ｉの駆動パターンは、低電力駆動パターンＤＷＬである。
【０１０９】
制御部４０は、判定期間ＰＨｊの長さｔｊに対して、駆動電力Ｗｄが第１範囲ＷＡ１内となる期間の長さｔｗ１の割合が所定の割合よりも大きくなった場合に、放電灯駆動部２３０の駆動モードを第１調光駆動モードＭｄ１から第２調光駆動モードＭｄ２に切り換える。駆動電力Ｗｄが第１範囲ＷＡ１内となる期間の長さｔｗ１とは、駆動パターンＤＷ１の駆動電流Ｉが放電灯９０に供給される期間の長さである。所定の割合は、例えば、７０％以上、９０％以下程度である。
【０１１０】
図１０に示す例では、判定期間ＰＨｊには、駆動電力Ｗｄが第１範囲ＷＡ１内となる期間が２つ、駆動電力Ｗｄが第２範囲ＷＡ２内となる期間が２つ、駆動電力Ｗｄが第３範囲ＷＡ３内となる期間が１つ、それぞれ設けられている。これらの期間の合計が、判定期間ＰＨｊの長さｔｊである。図１０では、判定期間ＰＨｊに含まれる駆動電力Ｗｄが第１範囲ＷＡ１内となる期間の長さｔｗ１の合計が、判定期間ＰＨｊの長さｔｊに対して所定の割合よりも大きいため、制御部４０は、放電灯駆動部２３０の駆動モードを第１調光駆動モードＭｄ１から第２調光駆動モードＭｄ２に切り換えている。
【０１１１】
判定期間ＰＨｊは、制御部４０が駆動モードの切り換えについて判定するタイミングから第１所定時間だけ前までの期間である。第１所定時間は、例えば、０．５ｍｉｎ（分）以上、５ｍｉｎ（分）以下程度である。第１所定時間は、判定期間ＰＨｊの長さｔｊに相当する。制御部４０は、随時判定を行っていてもよいし、所定間隔で判定を行ってもよい。図１０に示す例では、第１調光駆動モードＭｄ１と第２調光駆動モードＭｄ２との境が、駆動モードの切り換えについて判定するタイミングの一つである。
【０１１２】
制御部４０は、放電灯駆動部２３０の駆動モードを第１調光駆動モードＭｄ１から第２調光駆動モードＭｄ２に切り換えてから第２所定時間（所定時間）が経過した場合、放電灯駆動部２３０の駆動モードを第２調光駆動モードＭｄ２から第１調光駆動モードＭｄ１に切り換える。すなわち、制御部４０は、調光駆動モードＭＣにおいて駆動電力Ｗｄの値が所定値以下となる期間における駆動パターンを、駆動パターンＤＷ１から低電力駆動パターンＤＷＬに切り換えてから所定時間が経過した場合、当該駆動パターンを低電力駆動パターンＤＷＬから駆動パターンＤＷ１に切り換える。第２所定時間とは、第２調光駆動モードＭｄ２が実行される長さに相当する。
【０１１３】
制御部４０は、ランプ電圧Ｖｌａに応じて、第２所定時間を変化させる。具体的には、制御部４０は、ランプ電圧Ｖｌａが大きいほど、第２所定時間を長くする。すなわち、制御部４０は、ランプ電圧Ｖｌａが第１電圧となるときの第２所定時間を、ランプ電圧Ｖｌａが第１電圧よりも小さい第２電圧となるときの第２所定時間よりも長くする。第２所定時間は、例えば、１ｍｉｎ（分）以上、３０ｍｉｎ（分）以下程度である。
【０１１４】
その後、制御部４０は、上述したのと同様にして判定期間ＰＨｊによる判定を行い、放電灯駆動部２３０の駆動モードを第１調光駆動モードＭｄ１と第２調光駆動モードＭｄ２との間で切り換える。
【０１１５】
上述した制御を行う制御部４０を備える放電灯点灯装置１０は、放電灯駆動方法としても表現できる。すなわち、本実施形態の放電灯駆動方法の一つの態様は、第１電極９２および第２電極９３を有する放電灯９０に駆動電流Ｉを供給して、放電灯９０を駆動する放電灯駆動方法であって、所定の駆動電力Ｗｄが放電灯９０に供給される低電力駆動モードＭＬと、駆動電力Ｗｄの値が時間的に変化する調光駆動モードＭＣと、を有し、調光駆動モードＭＣにおいて、駆動電力Ｗｄの変化に応じて放電灯９０に供給される駆動電流Ｉの駆動パターンを変化させ、調光駆動モードＭＣにおいて、判定期間ＰＨｊにおける駆動電力Ｗｄの値が所定値以下となる期間の割合が所定の割合よりも大きくなる場合、駆動電力Ｗｄが所定値以下となる期間における駆動パターンを、駆動パターンＤＷ１から低電力駆動パターンＤＷＬに切り換えることを特徴とする。
【０１１６】
調光駆動モードＭＣにおいては、放電灯９０に供給される駆動電力Ｗｄが変化するため、駆動電力Ｗｄの変化に応じて第１電極９２に加えられる熱負荷が変化する。これにより、第１電極９２には熱負荷の変化による刺激が加えられやすく、突起５５２ｐが成長しやすい。この場合、放電灯９０に供給される駆動電流Ｉの駆動パターンを低電力駆動モードＭＬの駆動パターンと同じとすると、第１電極９２に加えられる熱負荷が過剰になり過ぎて、突起５５２ｐが溶融し過ぎる場合がある。したがって、調光駆動モードＭＣにおいて放電灯９０に供給される駆動電流Ｉの駆動パターンは、低電力駆動モードＭＬにおいて放電灯９０に供給される駆動電流Ｉの駆動パターンよりも第１電極９２に加えられる熱負荷が小さくなるように設定されている。
【０１１７】
このような調光駆動モードＭＣにおいて、例えば、駆動電力Ｗｄの値が定格電力よりも比較的小さい値となる状態が比較的長く設けられる場合、相対的に熱負荷が小さい調光駆動モードＭＣの駆動パターンでは、第１電極９２に加えられる熱負荷が不十分となり、突起５５２ｐを十分に成長できない場合があった。また、駆動電力Ｗｄの値が定格電力あるいは定格電力に近い値となる状態が比較的長く設けられる場合に比べて、突起５５２ｐが細くなりやすい場合があった。これにより、放電灯９０の寿命が低下する場合があった。なお、駆動電力Ｗｄの値が定格電力よりも比較的小さい値となる状態が比較的長く設けられる場合とは、駆動電力Ｗｄの値が定格電力よりも比較的小さい値となる状態が比較的長い時間連続して設けられる場合と、駆動電力Ｗｄの値が定格電力よりも比較的小さい値となる状態が他の状態を挟んで頻繁に設けられる場合とを含む。
【０１１８】
これに対して、本実施形態によれば、制御部４０は、判定期間ＰＨｊにおける駆動電力Ｗｄの値が所定値以下となる期間の割合が所定の割合よりも大きくなる場合に、放電灯駆動部２３０の駆動モードを、第１調光駆動モードＭｄ１から第２調光駆動モードＭｄ２に切り換える。第２調光駆動モードＭｄ２は、第１調光駆動モードＭｄ１よりも第１電極９２に加えられる熱負荷が大きい。そのため、第１調光駆動モードＭｄ１において駆動電力Ｗｄの値が定格電力よりも比較的小さい値となる状態が比較的長く設けられる場合に、第１電極９２に好適に熱負荷を加えることができ、突起５５２ｐを好適に成長させることができる。また、突起５５２ｐを太くすることができる。これにより、本実施形態によれば、放電灯９０の寿命を向上させることができる。
【０１１９】
また、本実施形態によれば、調光駆動モードＭＣにおいては、駆動電力Ｗｄの変化に応じて駆動電流Ｉの駆動パターンが変化する。そして、第２調光駆動モードＭｄ２において駆動電力Ｗｄの値が所定値以下の場合の駆動電流Ｉの駆動パターンは、低電力駆動パターンＤＷＬである。低電力駆動パターンＤＷＬは、第１調光駆動モードＭｄ１において駆動電力Ｗｄの値が所定値以下の場合の駆動電流Ｉの駆動パターンＤＷ１よりも第１電極９２に加えられる熱負荷が大きい。そのため、第２調光駆動モードＭｄ２において駆動電力Ｗｄの値が定格電力よりも比較的小さい値となる場合に、低電力駆動パターンＤＷＬによって、第１電極９２に加えられる熱負荷を大きくすることができる。そのため、第２調光駆動モードＭｄ２において第１電極９２に熱負荷を好適に加えやすく、突起５５２ｐを好適に成長させやすい。したがって、放電灯９０の寿命をより向上できる。
【０１２０】
また、本実施形態によれば、第２調光駆動モードＭｄ２において駆動電力Ｗｄが所定値以下となる場合に放電灯９０に供給される駆動電流Ｉの駆動パターンは、低電力駆動モードＭＬにおいて放電灯９０に供給される駆動電流Ｉの駆動パターンと同じである。そのため、第２調光駆動モードＭｄ２において駆動電力Ｗｄの値が定格電力よりも比較的小さい値となる場合に、低電力駆動モードＭＬを実行している場合と同様に第１電極９２に熱負荷を加えることができ、突起５５２ｐをより好適に成長させることができる。したがって、放電灯９０の寿命をより向上できる。
【０１２１】
また、本実施形態によれば、第２調光駆動モードＭｄ２において駆動電力Ｗｄの値が所定値よりも大きい場合に放電灯９０に供給される駆動電流Ｉの駆動パターンは、第１調光駆動モードＭｄ１において駆動電力Ｗｄの値が所定値よりも大きい場合に放電灯９０に供給される駆動電流Ｉの駆動パターンと同じである。そのため、第２調光駆動モードＭｄ２において駆動電力Ｗｄの値が低電力駆動モードＭＬにおいて放電灯９０に供給される駆動電力Ｗｄに近い値よりも大きい場合には、第１調光駆動モードＭｄ１と同様に駆動パターンを変化させて第１電極９２に加えられる熱負荷を好適に調整できる。これにより、放電灯９０の寿命をより向上できる。
【０１２２】
また、本実施形態によれば、制御部４０は、放電灯駆動部２３０の駆動モードを第１調光駆動モードＭｄ１から第２調光駆動モードＭｄ２に切り換えてから第２所定時間が経過した場合、放電灯駆動部２３０の駆動モードを第２調光駆動モードＭｄ２から第１調光駆動モードＭｄ１に切り換える。そのため、第１調光駆動モードＭｄ１と第２調光駆動モードＭｄ２とを好適に切り換えて、第１電極９２に対して好適に熱負荷を加えやすい。これにより、放電灯９０の寿命をより向上できる。
【０１２３】
また、例えば、放電灯９０が劣化するほど、第１電極９２の突起５５２ｐが成長しにくくなる。これに対して、本実施形態によれば、制御部４０は、放電灯９０のランプ電圧Ｖｌａに応じて、上述した第２所定時間を変化させる。そのため、放電灯９０の劣化に応じて、第２調光駆動モードＭｄ２の実行時間を変化させることができる。具体的には、本実施形態のようにランプ電圧Ｖｌａが大きいほど、上述した第２所定時間を長くすることで、放電灯９０が劣化するほど、第２調光駆動モードＭｄ２の実行時間を長くでき、第１電極９２に加えられる熱負荷を大きくできる。これにより、放電灯９０が劣化した場合であっても突起５５２ｐを成長させることができる。したがって、放電灯９０の寿命をより向上できる。
【０１２４】
なお、本実施形態においては、下記の構成および方法を採用することもできる。
【０１２５】
制御部４０は、第２調光駆動モードＭｄ２において、判定期間ＰＨｊにおける駆動電力Ｗｄの値が所定値以下となる期間の割合が所定の割合以下になる場合、放電灯駆動部２３０の駆動モードを、第２調光駆動モードＭｄ２から第１調光駆動モードＭｄ１に切り換えてもよい。すなわち、制御部４０は、調光駆動モードＭＣにおいて、駆動電力Ｗｄが所定値以下となる期間における駆動パターンが低電力駆動パターンＤＷＬであり、かつ、所定期間（判定期間ＰＨｊ）における駆動電力Ｗｄの値が所定値以下となる期間の割合が所定の割合以下になる場合、駆動電力Ｗｄが所定値以下となる期間における駆動パターンを、低電力駆動パターンＤＷＬから駆動パターンＤＷ１に切り換える。この構成によれば、駆動電力Ｗｄの値の変化の状態に応じて、第１調光駆動モードＭｄ１と第２調光駆動モードＭｄ２とを好適に切り換えやすい。そのため、放電灯９０の寿命をより向上できる。
【０１２６】
また、第２調光駆動モードＭｄ２において駆動電力Ｗｄの値が所定値以下の場合に放電灯９０に供給される駆動電流Ｉの駆動パターンは、低電力駆動モードＭＬにおいて放電灯９０に供給される駆動電流Ｉの低電力駆動パターンＤＷＬでなくてもよい。この場合、第２調光駆動モードＭｄ２において駆動電力Ｗｄの値が所定値以下の場合に放電灯９０に供給される駆動電流Ｉの駆動パターンは、駆動パターンＤＷ１よりも第１電極９２に加えられる熱負荷が大きければ、低電力駆動パターンＤＷＬよりも第１電極９２に加えられる熱負荷が小さくてもよいし、大きくてもよい。
【０１２７】
また、第２調光駆動モードＭｄ２においては、駆動電力Ｗｄに応じて駆動パターンが変化しなくてもよい。この場合、制御部４０は、第２調光駆動モードＭｄ２において、駆動電力Ｗｄの変化によらず同じ駆動パターンの駆動電流Ｉを放電灯９０に供給し続ける。また、第１調光駆動モードＭｄ１においても、駆動電力Ｗｄに応じて駆動パターンが変化しなくてもよい。
【０１２８】
また、制御部４０は、第２調光駆動モードＭｄ２において、駆動電力Ｗｄが第１範囲ＷＡ１内となる期間の長さｔｗ１の合計、すなわち第２調光駆動モードＭｄ２に切り換えられてから低電力駆動パターンＤＷＬの駆動電流Ｉが放電灯９０に供給された累計時間が、第３所定時間よりも大きくなった場合に、放電灯駆動部２３０の駆動モードを第２調光駆動モードＭｄ２から第１調光駆動モードＭｄ１に切り換えてもよい。
【０１２９】
例えば、第２調光駆動モードＭｄ２に切り換えた後であっても、駆動電力Ｗｄが第１範囲ＷＡ１内とならない場合、すなわち駆動電力Ｗｄが第２範囲ＷＡ２内あるいは第３範囲ＷＡ３内となる場合には、駆動電流Ｉの駆動パターンは、第１調光駆動モードＭｄ１において供給される駆動電流Ｉの駆動パターンと同じである。そのため、調光駆動モードＭＣを第２調光駆動モードＭｄ２に切り換えても、駆動電力Ｗｄの変化の仕方によっては、ほとんど低電力駆動パターンＤＷＬの駆動電流Ｉが放電灯９０に供給されず、第１電極９２に十分に熱負荷を加えにくい場合がある。
【０１３０】
これに対して、第２調光駆動モードＭｄ２において低電力駆動パターンＤＷＬの駆動電流Ｉが放電灯９０に供給された累計時間が第３所定時間よりも大きくなった場合に、放電灯駆動部２３０の駆動モードを第２調光駆動モードＭｄ２から第１調光駆動モードＭｄ１に切り換えることで、低電力駆動パターンＤＷＬの駆動電流Ｉが放電灯９０に供給される時間を第３所定時間分だけ確保することができる。そのため、駆動電力Ｗｄの変化の仕方によらず、第２調光駆動モードＭｄ２において第１電極９２に熱負荷を十分に加えることができる。
【０１３１】
また、制御部４０は、ランプ電圧Ｖｌａが大きいほど、上述した第３所定時間を長くしてもよい。上述したように、駆動電力Ｗｄが第２範囲ＷＡ２内あるいは第３範囲ＷＡ３内にある場合には、第２調光駆動モードＭｄ２において放電灯９０に供給される駆動電流Ｉの駆動パターンは第１調光駆動モードＭｄ１において放電灯９０に供給される駆動電流Ｉの駆動パターンと変わらない。そのため、第２調光駆動モードＭｄ２の実行時間、すなわち第２所定時間を長くしても、駆動電力Ｗｄの変化の仕方によっては、低電力駆動パターンＤＷＬの駆動電流Ｉが放電灯９０に供給される累計時間が変わらない、あるいは短くなる場合がある。
【０１３２】
これに対して、ランプ電圧Ｖｌａが大きいほど、第３所定時間を長くすることで、放電灯９０が劣化した場合に、第２調光駆動モードＭｄ２における低電力駆動パターンＤＷＬの駆動電流Ｉが放電灯９０に供給される累計時間を大きくすることができ、第１電極９２に好適に熱負荷を加えることができる。
【０１３３】
図１２は、調光駆動モードＭＣにおける、駆動電力Ｗｄの変化に対する駆動電流Ｉの駆動パターンの変化の他の一例を示す図である。図１２の上図は、駆動電力Ｗｄの変化を示す図であり、縦軸は駆動電力Ｗｄを示しており、横軸は時間Ｔを示している。図１２の下図は、駆動電流Ｉの駆動パターンの変化を示す模式図であり、横軸は時間Ｔを示している。
【０１３４】
制御部４０は、図１２に示すように、第１調光駆動モードＭｄ１において、駆動電力Ｗｄの値が所定値以下となる期間、すなわち本実施形態では駆動電力Ｗｄの値が第１範囲ＷＡ１内となる期間の長さｔｗ１が所定の長さよりも大きくなった場合に、放電灯駆動部２３０の駆動モードを、第１調光駆動モードＭｄ１から第２調光駆動モードＭｄ２に切り換えてもよい。この場合、制御部４０は、駆動電力Ｗｄの値が第１範囲ＷＡ１内となる期間の長さｔｗ１が所定の長さよりも大きくなった場合に、判定期間ＰＨｊにおける駆動電力Ｗｄの値が所定値以下となる期間の割合が所定の割合よりも大きくなったと判定する。所定の長さは、例えば、０．５ｍｉｎ（分）以上、２ｍｉｎ（分）以下程度である。
【０１３５】
図１２に示す例では、制御部４０は、駆動電力Ｗｄが第１電力Ｗｄ１となる期間中において、駆動電力Ｗｄの値が第１範囲ＷＡ１内となる期間の長さｔｗ１が所定の長さよりも大きくなった時点で、放電灯駆動部２３０の駆動モードを第１調光駆動モードＭｄ１から第２調光駆動モードＭｄ２に切り換える。これにより、駆動電力Ｗｄが第１電力Ｗｄ１である期間中に、駆動パターンが、駆動パターンＤＷ１から低電力駆動パターンＤＷＬに切り換えられる。
【０１３６】
なお、上述の実施形態において、透過型のプロジェクターに本発明を適用した場合の例について説明したが、本発明は、反射型のプロジェクターにも適用することも可能である。ここで、「透過型」とは、液晶パネル等を含む液晶ライトバルブが光を透過するタイプであることを意味する。「反射型」とは、液晶ライトバルブが光を反射するタイプであることを意味する。なお、光変調装置は、液晶パネル等に限られず、例えばマイクロミラーを用いた光変調装置であってもよい。
【０１３７】
また、上述の実施形態において、３つの液晶パネル５６０Ｒ，５６０Ｇ，５６０Ｂ（液晶ライトバルブ３３０Ｒ，３３０Ｇ，３３０Ｂ）を用いたプロジェクター５００の例を挙げたが、本発明は、１つの液晶パネルのみを用いたプロジェクター、４つ以上の液晶パネルを用いたプロジェクターにも適用可能である。
【０１３８】
また、上述の実施形態において述べた各構成は、矛盾しない範囲内において、相互に組み合わせることができる。
【符号の説明】
【０１３９】
１０…放電灯点灯装置（放電灯駆動装置）、４０…制御部、９０…放電灯、９２…第１電極（電極）、９３…第２電極（電極）、２００…光源装置、２３０…放電灯駆動部、３３０Ｒ，３３０Ｇ，３３０Ｂ…液晶ライトバルブ（光変調装置）、３５０…投射光学系、５００…プロジェクター、５０２，５１２Ｒ，５１２Ｇ，５１２Ｂ…画像信号、ＤＷ１…駆動パターン（第１駆動パターン）、ＤＷ２，ＤＷ３…駆動パターン、ＤＷＬ…低電力駆動パターン（第２駆動パターン）、Ｉ…駆動電流、ＭＣ…調光駆動モード（第２モード）、ＭＬ…低電力駆動モード（第１モード）、ＰＨｊ…判定期間（所定期間）、Ｖｌａ…ランプ電圧（電極間電圧）、Ｗｄ…駆動電力、Ｗｄ２…第２電力（所定値）
【図１】
2018107072.tif 000004
【図２】
2018107072.tif 000005
【図３】
2018107072.tif 000006
【図４】
2018107072.tif 000007
【図５】
2018107072.tif 000008
【図６Ａ】
2018107072.tif 000009
【図６Ｂ】
2018107072.tif 000010
【図７】
2018107072.tif 000011
【図８】
2018107072.tif 000012
【図９】
2018107072.tif 000013
【図１０】
2018107072.tif 000014
【図１１】
2018107072.tif 000015
【図１２】
2018107072.tif 000016